【手続補正書】
【提出日】平成17年7月26日(2005.7.26)
【手続補正１】
【補正対象書類名】明細書
【補正対象項目名】全文
【補正方法】変更
【補正の内容】
【書類名】明細書
【発明の名称】  パチンコ機の入賞口
【特許請求の範囲】
【請求項１】
遊技盤に立設される内レール及び外レールにより形成される遊技領域内に配置されるパチンコ機の入賞口であって、
前記内レール又は外レールに沿って設けられると共にその一部が内レール又は外レールを跨いで遊技領域外側に位置して穿設され、前記内レール又は外レールの遊技盤側を切除して遊技球が入球し得るようにしたことを特徴とするパチンコ機の入賞口。
【請求項２】
前記切除高さは遊技球の半径より小さいことを特徴とする請求項１記載のパチンコ機の入賞口。
【発明の詳細な説明】
【０００１】
【発明が属する技術分野】
本発明はパチンコ機の入賞口に関する。更により詳しくは、遊技領域の中央部に大型の図柄装置の配置を可能とする入賞口に関する。
【０００２】
【従来の技術】
まず、図７に示す第１種パチンコ機（以下、パチンコ機とのみ称する）１を例にしてパチンコ機の構成を説明する。パチンコ機１においては、ベニア板２等にセル３を貼付した遊技盤４の外延に円弧状の外レール５が遊技盤４の下端部中央を始端とし、その終端を遊技盤４の上部右端として配置される。その僅か内側に、外レール５の終端近傍の位置を始端とし、遊技盤４の左端上部を終端とする内レール６が、外レール５と同心円状に配置される。外レール５と内レール６に挟まれて遊技球通過領域７が形成され、外レール５と内レール６に仕切られた遊技盤４の内部に遊技領域８が形成される。
【０００３】
遊技領域８の中央にはセンターケース９が設けられ、このセンターケース９の上端部に普通図柄表示装置１０が配置され、該センターケース９の中央部には特別図柄表示装置１１が配置される。センターケース９の上部左右に風車１２がそれぞれ１個、センターケース９の中央部よりやや下方の左右にそれぞれ２個の風車１２が配置される。センターケース９の中央部下方には始動口１３が配置され、該始動口１３を中心として、始動口１３、通過チャッカー１４、入賞口１５の下方に左右両端部近傍に入賞口１５、中央部に大入賞口１６を設けたアタッカー１７が配置される。なお、アタッカー１７の下方で遊技領域８の最下端部にはアウト口１８が配置され、センターケース９の中央部の左右で内レール６に接してサイドランプ１９が配置される。
【０００４】
現在の遊技規則によると、役物が作動しない通常の場合における入賞装置の数は５個以上１５個以下であること、入賞装置の総数が９個未満である場合にあっては始動口１３の数はその三分の一を越えてはならないと定められており、上記構成は入賞装置の数として、始動口１３で１個、始動口１３の左右に配置される入賞口１５が２個、アタッカー１７に配置される入賞口１５が２個で計５個となり、遊技規則に適合する。また、始動口１３についても１個配置されているため上記遊技規則に適合する。
【０００５】
従来、パチンコ機に配置される特別図柄表示装置１１のディスプレイ１１’は４〜６インチものが使用されている。該ディスプレイ１１’が嵌挿するセンターケース９は遊技領域８内で大きな面積を占めることがないため、前項に記載の遊技規則に入賞装置の総数及び始動口数を適合させ、しかも遊技領域８の上方へ打ち込まれた遊技球が、多様な変化をして流下するように留意して、遊技釘、風車１２，入賞口１５及び始動口１３の配置を行うことができた。近時、視認性に優れ、多様な遊技態様の表示を可能とする大型のディスプレイ１１’が採用されるようになると、この大型のディスプレイ１１’が嵌挿されるセンターケース９が遊技領域８内で占める面積は大きくなるとともに、風車１２、入賞口１５の配置できるスペースが狭まり、この狭まった遊技領域８に入賞装置数を遊技規則に適合させて、しかも遊技球の流下経路に多様な変化を与えるように配置することが困難となり、遊技球の流下経路の予想が容易な配置となっている。
【０００６】
また、従来の入賞装置は、例えば図８に示す入賞口１５のように、遊技盤３に入賞口１５を取り付けるための取付板１５ａに孔１５ｂを設け、該取付板１５ａの機台前方側に落下してくる遊技球を受け入れて孔１５ｂに送る前飾部１５ｃを配置し、取付板１５ａの機台後方側には前記孔１５ｂに連続して誘導路１５ｄが設けられる。誘導路１５ｄの機台後方側には該誘導路１５ｄを移行してきた遊技球の方向を変える当接部１５ｅ及び入賞した遊技球を関知するセンサー２４を保持するセンサーホルダ１５ｆを設ける構成であるため、入賞口１５の取付板１５ａがよりスペースを狭くし、風車１２、入賞口１５の配置位置が制限を受ける場合を生じていた。なお、入賞口１５は合成樹脂で一体成形される。
【０００７】
【発明が解決しようとする課題】
本発明の課題は、入賞口として極めて簡単な構造で、遊技領域に大型のセンターケースを配置したり、他の入賞装置を配置することにより遊技領域が狭められた場合においても、遊技球の流下経路に変化を与えることのできるゲージを可能とするパチンコ機の入賞口を提供することである。
【０００８】
【課題を解決するための手段】
上記課題を解決するために本発明の採用した手段を以下に説明する。本発明請求項１記載の遊技球の入賞口は、遊技盤に立設される内レール及び外レールにより形成される遊技領域内に配置されるパチンコ機の入賞口であって、前記内レール又は外レールに沿って設けられると共にその一部が内レール又は外レールを跨いで遊技領域外側に位置して穿設され、前記内レール又は外レールの遊技盤側を切除して遊技球が入球し得るようにしたことを特徴とする。
【０００９】
請求項２記載の発明は、請求項１記載の発明において、前記切除高さは遊技球の半径より小さいことを特徴とする。
【００１０】
また、遊技領域内に他の入賞装置と共に所定数配置されるパチンコ機の入賞口において、予め定められた数の入賞口が、遊技盤を貫通する貫通孔であり、該貫通孔は遊技球より僅かに大きな直径を有し、その一部が遊技領域内を越えて内レールの外側に配置され、貫通孔の遊技盤裏面側には少なくとも貫通孔の入口から移行してくる遊技球を確認するセンサーを保持するセンサーホルダを配設するとともに、貫通孔上方の内レールに遊技球が貫通孔に入るための切除箇所を設けるように構成するのが好ましい。
【００１１】
「その一部が遊技領域内を越えて内レールの外側に配置され」とは、遊技盤に設けられた貫通孔の一部分（遊技球の直径の略３分の一程度の長さ）が、内レールの外側に位置することである。内レールは、外レールの終端近傍の位置を始端とし、遊技盤の左端上部を終端としており、貫通孔が左サイドランプの近傍に設けられる場合には、外レールとともに構成される遊技球通過領域内にその一部が位置することになる。しかし、発射装置から打ち出された遊技球は勢いが強いために、外レールに接したり、或いは沿いながら遊技球通過領域内を通過するので、遊技球の通過には影響がない。
【００１２】
また、「貫通孔上方の内レールに遊技球が貫通孔に入るための切除箇所を設ける」とは、貫通孔の一部が内レールの外側に位置しているので遊技球が貫通孔に入ることができない。このため、例えば、内レールの下端部において、該内レールと貫通孔の両端部が接する間を底辺とし、この底辺の中間点を最も高い位置と（遊技球の半径の長さと略同長或いは遊技球の半径よりやや短い長さ）し、底辺の両端部と底辺の中間点で最も高い箇所を通る弧で形成される部分を切除部６ａとして切削することである。
【００１３】
また、遊技機の入賞口は、上記貫通孔を、遊技盤表面では遊技球の直径より２ｍｍ大きな直径を有する円、遊技板裏面では遊技球の直径より４ｍｍ大きな直径を有する円を配置した円錐形で構成するのが好ましい。
【００１４】
「遊技盤表面では遊技球の直径より２ｍｍ大きな直径を有する円」とは、通常の入賞口の遊技球が入り込む入球口と同じ大きさである。そして、「円錐形で構成した」とは、貫通孔に入った遊技球が途中で止まることなく機台後方側に移行させるために、遊技盤の裏面側を表面側より大きな円で構成したことである。
【００１５】
【発明の実施の形態】
次に、本発明の遊技機の入賞口の実施の形態を図１〜図６を参考に詳細に説明する。図１は本発明の入賞口を機台左方側内レール近傍に配置した正面図、図２は本発明の入賞口の斜視図、図３は本発明の入賞口を右方側内レール近傍に配置した正面図、図４は本発明の入賞口の背面図、図５は本発明の入賞口の断面図、図６は本発明の入賞口を配置した遊技盤の斜視図である。
【００１６】
図中において４は、ベニア板２の表面に図柄を描いたセル３を貼付した遊技盤であり、該遊技盤４に配置される内レール６から円周の三分の一位が外側に出るように貫通孔を穿設する。貫通孔は、遊技盤４表面では遊技球の直径より２ｍｍ大きな直径を有する円、遊技盤４裏面では遊技球の直径より４ｍｍ大きな直径を有する円を配置した円錐形で構成し、表面側から裏面側に向かって下傾斜する面を有している。この貫通孔に合成樹脂で一体成形された入賞口後部２３を遊技盤４の機台後方側から挿入し、取付板２３ａに設けた一対の取付孔２３ｆにおいてネジで入賞口後部２３を遊技盤４に固着する。該取付板２３ａの機台前方側に配置される周壁２３ｂが貫通孔２１の内側に配置される。そして、取付板２３ａの機台後方側には上方に当接片２３ｄ、下方にセンサーホルダ２３ｅが配置される。なお、前記周壁２３ｂの前端部がベニア板２に貼付したセル３を押して剥がさないように、周壁２３ｂはベニア板２の後端部からセル３迄の長さより短くされる。
【００１７】
入賞口前部２２の円形で入球口２２ａを形成するフランジ２２ｂから機台後方側に設けられる周壁２２ｃを遊技盤４に固着された入賞口後部２３の周壁２３ｂ内に嵌挿する。該周壁２２ｃ後側面は入賞口後部２３の周壁２３ｂの内側面に接する。そして、周壁２２ｃの内側面は入球口２２ａから排出口２３ｃに向かって傾斜する面としている。このため入球口２２ａに入った遊技球は排出口２３ｃに移行する。
【００１８】
入賞口後部２３の周壁２２ｃ内に入賞口前部２２の周壁２２ｃを配設した状態では、フランジ２２ｂが有るために内レール６全域を遊技盤４上に配置できない。また、該フランジ２２ｂの上方に内レール６があるとフランジ２２ｂの一部が内レール６より外側に位置しているので遊技球が入らない。このため内レール６の下端部でフランジ２２ｂの端部に接する箇所を底辺とし、この底辺の中間部において遊技球の半径と略同長か、短い長さの位置を頂点とした弧をけがきこの部分を切除部６ａとして切削する。フランジ２２ｂの一部を内レール６の外側により多く出すと、該底辺は長くなり、切除部６ａは広くなる。
【００１９】
遊技盤４の左側において、フランジ２２ｂの一部を内レール６の外側に位置させると、フランジ２２ｂの一部は外レール５と内レール６間の遊技球通過領域７内に配置されることになる。しかし、ハンドル２０を回動させて、発射装置によって遊技球を打ち出すと、遊技球は外レール５に沿って遊技球通過領域７内を通過するので、内レール６の外側にフランジ２２ｂの一部を配置しても発射された遊技球の通過には影響がない。遊技領域内で、該フランジ２２ｂの近傍の位置に釘列を配置すると遊技球は入球口２２ａに入賞する。
【００２０】
【発明の効果】
本発明の入賞口は、遊技盤上に広い面積を占める取付板を使用して入賞口を配置するのでなく、フランジを配設するのみで、しかも、フランジの一部を内レールの外側に位置させるので、遊技領域内が広く使用できる。遊技領域内に大型のセンターケースを配置したり、多数の入賞口等を配置しても、種々のゲージを採用することができる。
【図面の簡単な説明】
【図１】
本発明の入賞口を機台左方側内レール近傍に配置した正面図である。
【図２】
本発明の入賞口の斜視図である。
【図３】
本発明の入賞口を右方側内レール近傍に配置した正面図である。
【図４】
本発明の入賞口の背面図である。
【図５】
本発明の入賞口の断面図である。
【図６】
本発明の入賞口を配置した遊技盤の斜視図である。
【図７】
従来のパチンコ機の正面図である。
【図８】
従来の入賞口装置の断面図である。
【符号の説明】
１          パチンコ機
２          ベニア板
３          セル
４          遊技盤
５          外レール
６          内レール
６ａ        切削部
７          遊技球通過領域
８          遊技領域
９          センターケース
１０        普通図柄表示装置
１１        特別図柄表示装置
１１’        ディスプレイ
１２        風車
１３        始動口
１４        通過チャッカー
１５        入賞口
１５ａ      取付板
１５ｂ      孔
１５ｃ      前飾部
１５ｄ      誘導路
１５ｅ      当接部
１５ｆ      センサーホルダ
１６        大入賞口
１７        アタッカー
１８        アウト口
１９        サイドランプ
２０        ハンドル
２１        貫通孔
２２        入賞口前部
２２ａ      入球口
２２ｂ      フランジ
２２ｃ      周壁
２３        入賞口後部
２３ａ      取付板
２３ｂ      周壁
２３ｃ      排出口
２３ｄ      当接片
２３ｅ      センサーホルダ
２３ｆ      取付孔
２４        センサー